(57)【要約】【課題】流量調整の設定を保持したまま、吐止水切り替え用の押しボタンをロックすることができる吐水装置を提供する。【解決手段】本発明は、押圧操作により吐水・止水が切り替えられ、回転操作により吐水流量を調整する吐水装置（１）であって、主弁体を備え、押圧操作により主弁体が開閉され、回転操作により主弁体の開度が変化される開閉バルブユニット（１０）と、使用者の押圧操作によって並進移動され、吐水・止水を切り替える開閉操作部（６）と、この開閉操作部の周囲に設けられ、使用者の回転操作によって回転移動されることにより吐水流量を調整する流量操作部（８）と、この流量操作部に設けられ、使用者によるロック操作により、流量操作部の回転位置に関わらず開閉操作部の並進移動を係止可能なロック機構（５０）と、を有することを特徴としている。【選択図】図２
2008232188.tif 000002
【特許請求の範囲】
【請求項１】
押圧操作により吐水・止水が切り替えられ、回転操作により吐水流量を調整する吐水装置であって、
主弁体を備え、押圧操作により上記主弁体が開閉され、回転操作により上記主弁体の開度が変化される開閉バルブユニットと、
使用者の押圧操作によって並進移動され、吐水・止水を切り替える開閉操作部と、
この開閉操作部の周囲に設けられ、使用者の回転操作によって回転移動されることにより吐水流量を調整する流量操作部と、
この流量操作部に設けられ、使用者によるロック操作により、上記流量操作部の回転位置に関わらず上記開閉操作部の並進移動を係止可能なロック機構と、
を有することを特徴とする吐水装置。
【請求項２】
上記ロック機構は、使用者によるロック操作により、上記流量操作部の回転中心に対して概ね半径方向に移動される係合端部を有し、この係合端部が、上記開閉操作部の外周に形成された係合受部と係合することにより、上記開閉操作部の並進移動が係止される請求項１記載の吐水装置。
【請求項３】
上記ロック機構は、上記開閉操作部が吐水位置に並進移動されている場合には、上記開閉操作部の並進移動を係止しない請求項１又は２記載の吐水装置。
【請求項４】
上記係合端部と上記係合受部が係合されると、上記開閉操作部の並進移動と共に上記流量操作部の回転移動も係止される請求項２又は３記載の吐水装置。
【請求項５】
押圧操作により吐水・止水が切り替えられ、回転操作により吐水流量を調整する吐水装置であって、
主弁体を備え、押圧操作により上記主弁体が開閉され、回転操作により上記主弁体の開度が変化される開閉バルブユニットと、
使用者の押圧操作により並進移動されて吐水・止水を切り替え、使用者の回転操作により回転移動されて吐水流量を調整する開閉流量操作部と、
この開閉流量操作部に設けられ、使用者によるロック操作により、上記開閉流量操作部の回転位置に関わらず上記開閉流量操作部の並進移動を係止可能なロック機構と、
を有することを特徴とする吐水装置。
【発明の詳細な説明】
【技術分野】
【０００１】
本発明は吐水装置に関し、特に、押圧操作により吐水・止水が切り替えられ、回転操作により吐水流量を調整する吐水装置に関する。
【背景技術】
【０００２】
特開２００１−９８５９６号公報（特許文献１）には、吐水装置が記載されている。この吐水装置は、中央に設けられた押しボタンを押すことによって吐水・止水が切り替えられ、押しボタンの周囲に設けられたハンドルを回すことによって流量を調節できるように構成されている。このような吐水装置は、押しボタンを押すだけで吐水・止水を切り替えることができるので、非常に使い勝手の良いものであるが、吐水装置上方からの物の落下等により、偶発的に吐水が開始されてしまう可能性があるという問題がある。
【０００３】
この問題を解消するために、吐水・止水を切り替える押しボタンのロック機構を設けた吐水装置が市販されている。この吐水装置では、流量調整用ダイヤルの中心に配置され、ダイヤルよりも僅かに突出した状態にある押しボタンを一回押圧することにより、押しボタンがダイヤルから大きく突出して吐水状態となる。この状態でダイヤルを回すことにより、吐水流量が調節される。止水する場合には、大きく突出した状態の押しボタンを再び押圧して、押しボタンをもとの状態に戻す。また、不使用時等に押しボタンをロックするには、流量調整用のダイヤルを最少流量の位置まで回転させた後、ダイヤルを更にその方向に回転させる。これにより、吐止水切り替え用の押しボタンが押圧操作できなくなり、押しボタンがロックされる。
【０００４】
【特許文献１】特開２００１−９８５９６号公報
【発明の開示】
【発明が解決しようとする課題】
【０００５】
しかしながら、上記のロック機構を設けた吐水装置では偶発的な吐水を防止することができるものの、押しボタンをロックする際に流量調整用のダイヤルを最少流量の位置まで回転させる必要がある。このため、ロック機構の使用後、次に吐水を開始する際には、再び流量を調整し直さなければならないという問題がある。これでは、押しボタン式吐水装置の使い勝手の良さも、効果が半減してしまう結果になる。
【０００６】
従って、本発明は、流量調整の設定を保持したまま、吐止水切り替え用の押しボタンをロックすることができる吐水装置を提供することを目的としている。
【課題を解決するための手段】
【０００７】
上述した課題を解決するために、本発明は、押圧操作により吐水・止水が切り替えられ、回転操作により吐水流量を調整する吐水装置であって、主弁体を備え、押圧操作により主弁体が開閉され、回転操作により主弁体の開度が変化される開閉バルブユニットと、使用者の押圧操作によって並進移動され、吐水・止水を切り替える開閉操作部と、この開閉操作部の周囲に設けられ、使用者の回転操作によって回転移動されることにより吐水流量を調整する流量操作部と、この流量操作部に設けられ、使用者によるロック操作により、流量操作部の回転位置に関わらず開閉操作部の並進移動を係止可能なロック機構と、を有することを特徴としている。
【０００８】
このように構成された本発明においては、使用者が開閉操作部を押圧操作すると、開閉操作部は並進移動され、これにより開閉バルブユニットの主弁体が開閉され、吐水・止水が切り替えられる。また、使用者が開閉操作部の周囲に設けられた流量操作部を回転操作すると、流量操作部は回転移動され、これにより開閉バルブユニットの主弁体の開度が変化されて吐水流量が調整される。使用者が、流量操作部に設けられたロック機構をロック操作すると、流量操作部の回転位置に関わらず、開閉操作部の並進移動が係止される。
【０００９】
このように構成された本発明によれば、流量操作部に設けられたロック機構により、開閉操作部が、流量操作部の回転位置に関わらず係止されるので、流量調整の設定を保持したまま、開閉操作部をロックすることができる。
【００１０】
本発明において、好ましくは、ロック機構は、使用者によるロック操作により、流量操作部の回転中心に対して概ね半径方向に移動される係合端部を有し、この係合端部が、開閉操作部の外周に形成された係合受部と係合することにより、開閉操作部の並進移動が係止される。
【００１１】
このように構成された本発明においては、開閉操作部の周囲に設けられた流量操作部に、概ね半径方向に移動可能な係合端部が配置される。この係合端部が、開閉操作部の外周に形成された係合受部と係合して開閉操作部が係止される。
このように構成された本発明によれば、流量操作部の回転位置に関わらず開閉操作部を係止する機構を、容易に構成することができる。
【００１２】
本発明において、好ましくは、ロック機構は、開閉操作部が吐水位置に並進移動されている場合には、開閉操作部の並進移動を係止しない。
このように構成された本発明によれば、吐水状態においては開閉操作部が係止されないので、開閉操作部が偶発的に係止され、吐水装置からの吐水が停止できなくなるのを防止することができる。
【００１３】
本発明において、好ましくは、係合端部と係合受部が係合されると、開閉操作部の並進移動と共に流量操作部の回転移動も係止される。
このように構成された本発明によれば、止水状態で開閉操作部が係止されている間に偶発的に流量操作部が回転され、次に吐水を開始した際に、意図しない大流量で吐水が為される等の不都合を回避することができる。
【００１４】
また、本発明は、押圧操作により吐水・止水が切り替えられ、回転操作により吐水流量を調整する吐水装置であって、主弁体を備え、押圧操作により主弁体が開閉され、回転操作により主弁体の開度が変化される開閉バルブユニットと、使用者の押圧操作により並進移動されて吐水・止水を切り替え、使用者の回転操作により回転移動されて吐水流量を調整する開閉流量操作部と、この開閉流量操作部に設けられ、使用者によるロック操作により、開閉流量操作部の回転位置に関わらず開閉流量操作部の並進移動を係止可能なロック機構と、を有することを特徴としている。
【００１５】
このように構成された本発明においては、使用者が開閉流量操作部を押圧操作すると、開閉流量操作部は並進移動され、これにより開閉バルブユニットの主弁体が開閉され、吐水・止水が切り替えられる。また、使用者が開閉流量操作部を回転操作すると、開閉流量操作部は回転移動され、これにより開閉バルブユニットの主弁体の開度が変化されて吐水流量が調整される。使用者が、開閉流量操作部に設けられたロック機構をロック操作すると、開閉流量操作部の回転位置に関わらず、開閉流量操作部の並進移動が係止される。
【００１６】
このように構成された本発明によれば、開閉流量操作部に設けられたロック機構により、開閉流量操作部の並進移動が、その回転位置に関わらず係止されるので、流量調整の設定を保持したまま開閉流量操作部をロックすることができる。
【発明の効果】
【００１７】
本発明の吐水装置によれば、流量調整の設定を保持したまま、吐止水切り替え用の押しボタンをロックすることができる。
【発明を実施するための最良の形態】
【００１８】
次に、添付図面を参照して、本発明の実施形態による吐水装置を説明する。
まず、図１乃至図７を参照して、本発明の第１実施形態による吐水装置を説明する。図１は本実施形態による吐水装置の斜視図である。図２は本実施形態による吐水装置の止水状態における断面図であり、図３は吐水状態における断面図である。図４は、図３のIV−IV線に沿う断面図である。図５は本実施形態による吐水装置の分解斜視図である。
【００１９】
図１に示すように、本発明の第１実施形態による吐水装置１は、吐水装置本体２を有し、この吐水装置本体２は、浴室やキッチン等のカウンター板４の背面側に収納されている。また、吐水装置１は、吐水・止水を切り替える開閉操作部である押しボタン６と、吐水流量を調整する流量操作部であるダイヤル８と、を有する。
【００２０】
本実施形態による吐水装置１は、使用者が押圧操作により押しボタン６を並進移動させると吐水・止水が切り替えられ、回転操作によりダイヤル８を回転移動させると吐水流量が調整されるように構成されている。また、ダイヤル８は押しボタン６の周囲に設けられ、ダイヤル８の握り部８ａにはロック機構５０が設けられている。
【００２１】
吐水装置本体２は、図２及び図３に示すように、カウンター板４の背面側に配置されており、サーモ水栓（図示せず）によって温度調節された湯水が流入する本体流入口２ａと、吐水装置１を通過した湯水が流出する本体流出口２ｂが形成されている。
【００２２】
押しボタン６は、図１乃至図３に示すように、概ね円筒形の部品であり、吐水装置１が止水状態にある場合には、ダイヤル８とほぼ面一に配置され、吐水状態にされると、ダイヤル８から突出するように移動される。
【００２３】
ダイヤル８は、押しボタン６の周囲を取り囲むように配置された概ね円筒形の部品であり、その円周上には、半径方向外方に突出した握り部８ａが形成されており、この握り部８ａの内部にはロック機構５０が内蔵されている。
【００２４】
また、図２乃至図５に示すように、本実施形態による吐水装置１は、吐水装置本体２内に受け入れられた開閉バルブユニット１０と、この開閉バルブユニット１０を吐水装置本体２に固定するバルブ押さえ１２と、を有する。さらに、吐水装置１は、バルブ押さえ１２の周囲に配置された本体カバー１４と、本体カバー１４に回動可能に取り付けられた回転伝達部材１６と、回転伝達部材１６の脱落を防止する押さえリング１８と、回転伝達部材１６と共に回動され、回転伝達部材１６の回転を開閉バルブユニット１０に伝達する回動カラー２０と、を有する。開閉バルブユニット１０は、押しボタン６の押圧操作によって主弁体が開閉され、ダイヤル８の回転操作によって主弁体の開度が変化されるように構成されている。
【００２５】
次に、図６及び図７を参照して、本発明の第１実施形態による吐水装置１に内蔵されている開閉バルブユニット１０の構成を説明する。図６は開閉バルブユニット１０の断面図であり、図７は分解斜視図である。
【００２６】
図６及び図７に示すように、開閉バルブユニット１０は、バルブ本体２２と、このバルブ本体２２に取り付けられて圧力室を形成する圧力室形成部材２４と、バルブ本体２２と圧力室形成部材２４の間に挟み込まれたダイヤフラム２６と、このダイヤフラム２６に取り付けられた主弁体２８と、を有する。さらに、開閉バルブユニット１０は、圧力室形成部材２４に重ねて配置されたガイド部材３０と、ガイド部材３０の周囲に回動可能に配置された回転筒部材３２と、押しボタン６の操作によって並進移動され、ダイヤル８の操作によって回転移動されるバルブ操作部材３４と、回転筒部材３２を圧力室形成部材２４に回動可能に取り付けるバルブカバー３６と、を有する。
【００２７】
また、開閉バルブユニット１０は、ガイド部材３０に案内される摺動部材３８と、この摺動部材３８に取り付けられたパイロット弁シャフト４０と、を有する。さらに、開閉バルブユニット１０は、パイロット弁シャフト４０の移動機構として、ガイド部材３０の周囲に配置された回転誘起部材４２と、バルブ操作部材３４を付勢するコイルバネ４４と、摺動部材３８を移動させる送りねじが内周に形成された送りねじ部材４６と、送りねじ部材４６の周囲に配置され、押圧操作毎に回動される回動リング４８と、を有する。
【００２８】
バルブ本体２２は、概ね円筒状の部材であり、外部側面のバルブ流入口２２ａから流入し、主弁座２２ｂを通過した湯水を、バルブ流出口２２ｃから流出させるように構成されている。
【００２９】
圧力室形成部材２４は、概ね円筒状の部材であり、ダイヤフラム２６を挟むようにバルブ本体２２に取り付けられて、ダイヤフラム２６との間に圧力室２５を形成するように構成されている。さらに、圧力室形成部材２４の内側には、Ｏリング２４ａ及びＯリング押さえ２４ｂが取り付けられ、この部分の水密性を確保している。また、圧力室形成部材２４の外側にもＯリング２４ｃが配置され、この部分の水密性を確保している。
【００３０】
主弁体２８は概ね円盤状の部材であり、ダイヤフラム２６に取り付けられて、ダイヤフラム２６と共にバルブ本体２２の主弁座２２ｂを開閉するように構成されている。また、主弁体２８の中心には圧力開放穴２８ｃが設けられ、この圧力開放穴２８ｃの入口には、Ｏリング２８ａ及びＯリング押さえ２８ｂが取り付けられている。後述するように、この圧力開放穴２８ｃは、パイロット弁シャフト４０によって開閉されるように構成されている。さらに、主弁体２８には、バルブ流入口２２ａから流入した湯水を圧力室２５内に流入させる小穴２８ｄが形成されている。
【００３１】
ガイド部材３０は、パイロット弁シャフト４０に沿って延びる２本のガイド部３０ａと、ガイド部３０ａの基端に形成された円盤部３０ｂと、を有する。円盤部３０ｂは、圧力室形成部材２４に重なるように配置され、圧力室形成部材２４の外側に配置されたＯリング２４ｃを押さえるように構成されている。ガイド部３０ａは、パイロット弁シャフト４０の両側にパイロット弁シャフト４０に沿って延びるように形成されている。２本のガイド部３０ａの間には、摺動部材３８が摺動可能に配置されており、摺動部材３８の回転はガイド部３０ａによって阻止される。
【００３２】
回転筒部材３２は、概ね筒状の部材であり、ガイド部３０ａを取り囲むように、ガイド部材３０に対して回動可能に取り付けられる。
バルブ操作部材３４は、概ね筒状の部材であり、回転筒部材３２の内側に摺動可能に配置されている。また、バルブ操作部材３４の外周側面には５本の案内突起３４ａ（図７）が形成されており、これらの案内突起３４ａが、回転筒部材３２の内側に形成された５本の案内溝３２ａ（図７）に夫々受け入れられることにより、バルブ操作部材３４と回転筒部材３２は一体となって回転される。
【００３３】
バルブカバー３６は概ね筒状の部材であり、回転筒部材３２を取り囲むように配置され、圧力室形成部材２４に取り付けられる。また、バルブカバー３６は、回転筒部材３２の基端に形成されたフランジ部３２ｂ（図７）を、圧力室形成部材２４との間に挟むことにより、回転筒部材３２を回動可能に圧力室形成部材２４に取り付けるように構成されている。
【００３４】
摺動部材３８は、概ね直方体状の部材であり、その両側面に送りねじ部３８ａ（図７）が形成されている。また、摺動部材３８の基端にはパイロット弁シャフト４０の基端が嵌合されており、パイロット弁シャフト４０は摺動部材３８と共に軸線方向に移動されるように構成されている。
【００３５】
パイロット弁シャフト４０は、摺動部材３８から延び、ガイド部材３０、圧力室形成部材２４、及び主弁体２８を貫通するように配置されている。さらに、パイロット弁シャフト４０の先端付近には径が細くなった縮径部４０ａが形成されており、この縮径部４０ａは、主弁体２８に取り付けられたＯリング２８ａの内部に位置決めされている。また、パイロット弁シャフト４０は、止水操作によって軸線方向に移動されることにより、パイロット弁シャフト４０の径の太い部分がＯリング２８ａに挿入されるように構成されている（図２）。これにより、主弁体２８の圧力開放穴２８ｃが閉鎖される。
【００３６】
回転誘起部材４２は概ね円筒状の部品であり、回転筒部材３２の内側に、ガイド部材３０と回転筒部材３２の間に挟まれるように取り付けられている。また、回転誘起部材４２の先端側には、複数の回転誘起歯４２ａ（図７）が形成されている。この回転誘起歯４２ａは、バルブ操作部材３４が押し込まれた際、回動リング４８と係合して回動リング４８を所定角度回転させるように構成されている。
【００３７】
コイルバネ４４は、ガイド部材３０の円盤部３０ｂと送りねじ部材４６との間に、ガイド部材３０のガイド部３０ａを取り囲むように配置されている。また、コイルバネ４４は、送りねじ部材４６、回動リング４８及びバルブ操作部材３４を、先端側に向かって突出させるように付勢している。
【００３８】
送りねじ部材４６は概ね円筒状の部材であり、ガイド部材３０のガイド部３０ａを取り囲むように配置されている。また、送りねじ部材４６の内周には摺動部材３８の送りねじ部３８ａと螺合される送り雌ねじ部４６ａが形成されている。このため、送りねじ部材４６が回動されると、ガイド部３０ａに案内されている摺動部材３８が、送り雌ねじ部４６ａによって軸線方向に摺動される。さらに、送りねじ部材４６の基端側にはフランジ部４６ｂが形成されており、このフランジ部４６ｂの基端側にはコイルバネ４４の先端が当接され、先端側には回動リング４８が回動可能に配置されている。また、送りねじ部材４６の外周側面には、軸線方向に延びる４本の突起部４６ｃが形成されている。これらの突起部４６ｃが、バルブ操作部材３４の内周に形成された軸線方向の４本の溝３４ｂ（図６）に夫々受け入れられることにより、送りねじ部材４６とバルブ操作部材３４は、一体となって回転される。
【００３９】
回動リング４８は概ね円環状の部材であり、送りねじ部材４６の周囲に回動可能に配置されると共に、フランジ部４６ｂに当接されている。また、回動リング４８には、放射状に突出した４つの係合爪４８ａ（図７）が形成されている。これらの係合爪４８ａは、吐水状態においては、回転筒部材３２の内周に形成された軸線方向に延びる８本のラッチ溝３２ｃのうちの４本に受け入れられている。この状態においては、回動リング４８が回転筒部材３２の先端側に移動することが許容される。これにより、回動リング４８と共に移動されるバルブ操作部材３４及び送りねじ部材４６も、回転筒部材３２から突出した位置（図３、図６）に移動することが許容される。
【００４０】
一方、回動リング４８の係合爪４８ａは、バルブ操作部材３４がコイルバネ４４の付勢力に抗して押し込まれた際、回転誘起部材４２の回転誘起歯４２ａと当接されるように形成されている。回転誘起歯４２ａの先端は傾斜するように形成されているので、これに係合爪４８ａが押し付けられると、回動リング４８が所定角度回転される。回動リング４８が所定角度回転されることにより、その係合爪４８ａは、回転筒部材３２のラッチ溝３２ｃと整合しなくなる。このため、コイルバネ４４の付勢力によりバルブ操作部材３４及び送りねじ部材４６が回動リング４８と共に押し戻された後も、係合爪４８ａが回転筒部材３２と係合し、バルブ操作部材３４は押し込まれた位置（図２）に保持される。
【００４１】
次に、バルブ操作部材３４が再び押し込まれ、係合爪４８ａが回転誘起歯４２ａに当接されると、回動リング４８がさらに所定角度回転される。これにより、係合爪４８ａは、回転筒部材３２のラッチ溝３２ｃと再び整合するようになる。このため、バルブ操作部材３４及び送りねじ部材４６は、コイルバネ４４の付勢力により、回転筒部材３２から突出した位置（図３、図６）に移動される。
【００４２】
次に、図２乃至図５を参照して、開閉バルブユニット１０の吐水装置本体２への取り付け構造、及び使用者による押しボタン６及びダイヤル８への操作力を、開閉バルブユニット１０に伝達する機構を説明する。
【００４３】
バルブ押さえ１２は、概ね円筒状に形成されており、開閉バルブユニット１０を取り囲むように取り付けられる。また、バルブ押さえ１２の内周には雌ねじ１２ａが形成されており、これを吐水装置本体２に形成された雄ねじと螺合させることにより、バルブ押さえ１２が吐水装置本体２に取り付けられている。また、バルブ押さえ１２の端面は、開閉バルブユニット１０のバルブカバー３６の肩部と係合するように形成されているので、バルブ押さえ１２を吐水装置本体２に螺合させることにより開閉バルブユニット１０が吐水装置本体２に固定される。
【００４４】
本体カバー１４は、概ね円筒状に形成されており、バルブ押さえ１２を取り囲むように取り付けられている。
回転伝達部材１６は、概ね円環状の部品であり、本体カバー１４の前面側に、本体カバー１４に対して回動可能に取り付けられている。また、図４に示すように、回転伝達部材１６の外周には、２つの回転伝達部材切欠部１６ａが形成されている。これらの回転伝達部材切欠部１６ａが、ダイヤル８の内側に形成された２つのダイヤル突起８ｂを夫々受け入れることによって、回転伝達部材１６はダイヤル８と共に回転される。
【００４５】
また、ダイヤル８の内周４箇所には、ダイヤル係合爪８ｃが形成されており、このダイヤル係合爪８ｃが回転伝達部材１６の外周に係合することにより、ダイヤル８と回転伝達部材１６が嵌合されている。これにより、使用者により押しボタン６が操作され、押しボタン６が突出された場合にも、ダイヤル８は突出されずに、もとの位置に維持される。
【００４６】
押さえリング１８は、円環状の部品であり、回転伝達部材１６の背面側に取り付けられて、回転伝達部材１６の本体カバー１４からの脱落を防止している。
回動カラー２０は、概ね円筒状の部品であり、開閉バルブユニット１０の回転筒部材３２先端部の外周に嵌められている。また、図４に示すように、回動カラー２０の円周上の一箇所には、開閉バルブユニット１０の軸線方向に延びる回動カラー切欠部２０ａが形成されている。この回動カラー切欠部２０ａは、回転筒部材３２の外周に形成された軸線方向に延びる係合突起３２ｄを受け入れており、これにより、回転筒部材３２は回動カラー２０と共に回動される。
【００４７】
さらに、図４に示すように、回動カラー２０の外周には、半径方向外方に延びる回動カラー突起２０ｂが形成されている。この回動カラー突起２０ｂは、回転伝達部材１６に形成された半径方向内方に延びる１対の回転伝達部材突起１６ｂの間に受け入れられており、これにより、回動カラー２０は回転伝達部材１６と共に回動される。
【００４８】
従って、使用者がダイヤル８を回転操作すると、ダイヤル８、回転伝達部材１６、及び回動カラー２０が共に回転され、開閉バルブユニット１０の回転筒部材３２が回転される。
【００４９】
一方、概ね円筒形に形成された押しボタン６の内壁面６ａには、回転伝達部材１６の円周壁１６ｃが受け入れられており、これにより、押しボタン６は、開閉バルブユニット１０の軸線方向に摺動可能に支持される。また、押しボタン６は、その背面が、開閉バルブユニット１０のバルブ操作部材３４の端面に当接されるように配置されている。このため、押しボタン６が押圧操作されると、バルブ操作部材３４が押圧され、軸線方向に並進移動される。
【００５０】
また、押しボタン６の背面には、位置決用突出部６ｂが、開閉バルブユニット１０の軸線方向に延びるように設けられている。この位置決用突出部６ｂは、本体カバー１４から押しボタン６に向かって延びる円弧状壁１４ａに設けられた位置決用凹部１４ｂに受け入れられている。これにより、押しボタン６の回転位置が位置決めされると共に、押しボタン６の回転が阻止される。
【００５１】
次に、図２乃至図５を参照して、ロック機構５０の構成を説明する。
ロック機構５０は、スライドツマミ５２と、このスライドツマミ５２に取り付けられたロック爪５４と、ロック爪５４をスライドツマミ５２に取り付けるビス５６と、を有する。
【００５２】
図５に示すように、ダイヤル８の握り部８ａの上端面には、スライドツマミ５２を落とし込むための長方形のスライド凹部８ｄと、このスライド凹部８ｄの中に形成された長方形断面の開口部８ｅが形成されている。
スライドツマミ５２には、使用者が把持する把持部５２ａが表側に形成され、裏側には開口部８ｅに挿入してロック爪５４を固定するための台座部５２ｂが形成されている。
【００５３】
ロック爪５４は金属製の薄板で形成されており、開口部８ｅに挿入されたスライドツマミ５２の台座部５２ｂに、ビス５６により固定されている。この構成により、ロック爪５４は、スライドツマミ５２と共にダイヤル８の半径方向に摺動可能に取り付けられる。また、係合端部であるロック爪５４の先端５４ａは尖鋭に形成され、ロック爪５４の後端には湾曲部５４ｂが形成されている。この湾曲部５４ｂは、スライドツマミ５２が半径方向外方に位置する非ロック位置においては、ダイヤル８の握り部８ａの内壁面に設けられたクリック凹部８ｆに受け入れられている（図３）。一方、スライドツマミ５２が半径方向内方に位置するロック位置に移動されると、湾曲部５４ｂはクリック凹部８ｆの外部へ移動され（図２）、この際、スライドツマミ５２の摺動にクリック感が与えられる。この構造により、スライドツマミ５２を摺動させる際の適度な操作力が必要になり、スライドツマミ５２の偶発的な移動が防止される。
【００５４】
一方、押しボタン６の外周側面には、全周に亘って、係合受部である係合溝６ｃが形成されており（図５）、この係合溝６ｃの底面にはスプライン状の凹凸が形成されている。また、係合溝６ｃは、吐水装置１が止水状態にある場合（図２）にはロック爪５４の先端５４ａと整合し、押しボタン６が突出された吐水位置にある場合（図３）には、先端５４ａと整合しない位置に位置決めされている。このため、吐水装置１が止水状態にある場合には、スライドツマミ５２を非ロック位置からロック位置に移動させ、ロック爪５４の先端５４ａを係合溝６ｃと係合させることができる。一方、吐水装置１が吐水状態にある場合には、ロック爪５４の先端５４ａと係合溝６ｃが整合していないため、スライドツマミ５２をロック位置に移動させることができない。
【００５５】
次に、本発明の第１実施形態による吐水装置１の作用を説明する。
まず、図２に示すように、吐水装置１が止水状態にある場合には、ダイヤフラム２６が、バルブ本体２２の主弁座２２ｂに着座し、主弁座２２ｂが閉鎖されている。即ち、吐水装置本体２の本体流入口２ａからバルブ流入口２２ａ及び主弁体２８に設けられた小穴２８ｄを通って圧力室２５に流入した湯水の圧力により、ダイヤフラム２６及び主弁体２８が主弁座２２ｂに向けて押圧されるため、主弁座２２ｂは閉鎖されている。次に、使用者は、スライドツマミ５２が、図２に示すロック位置にある場合には、これを半径方向外方にスライドさせて非ロック位置に移動させる。
【００５６】
スライドツマミ５２が非ロック位置にある場合には、使用者によって押しボタン６が押圧操作されると、その背面に配置されたバルブ操作部材３４も、軸線方向に押し込まれる。バルブ操作部材３４が押し込まれることにより、その背面側に配置された回動リング４８も押し込まれ、回動リング４８の係合爪４８ａが回転誘起部材４２の回転誘起歯４２ａに当接される。これにより、回動リング４８は、開閉バルブユニット１０の中心軸線を中心に所定角度回転される。次いで、使用者による押圧力が作用しなくなると、コイルバネ４４の付勢力により、送りねじ部材４６、回動リング４８及びバルブ操作部材３４が、ダイヤル８から突出する方向に移動される。ここで、回動リング４８が所定角度回転されたことにより、その係合爪４８ａは回転筒部材３２のラッチ溝３２ｃと整合する位置に移動されている。これにより、係合爪４８ａはラッチ溝３２ｃに受け入れられるので、送りねじ部材４６、回動リング４８及びバルブ操作部材３４は、コイルバネ４４の付勢力により、図３に示す位置まで移動される。
【００５７】
送りねじ部材４６が図３に示す位置まで移動されると、これに螺合されている摺動部材３８、及び摺動部材３８に取り付けられているパイロット弁シャフト４０も共に移動される。パイロット弁シャフト４０が移動されると、その縮径部４０ａが、主弁体２８に取り付けられているＯリング２８ａと整合するようになる。これにより、主弁体２８の圧力開放穴２８ｃが開放され、圧力室２５内部の圧力が低下する。圧力室２５内の圧力が低下することにより、ダイヤフラム２６及び主弁体２８が主弁座２２ｂから離れ、吐水状態となる。
【００５８】
次いで、使用者がダイヤル８を回転操作すると、回転伝達部材１６、回動カラー２０、回転筒部材３２、バルブ操作部材３４及び送りねじ部材４６が共に回動される。なお、ダイヤル８の内側の押しボタン６は、位置決用突出部６ｂ及び位置決用凹部１４ｂによって回転が阻止されているので、ダイヤル８と共に回動されることはない。
【００５９】
送りねじ部材４６が回動されると、これに螺合されている摺動部材３８が、送りねじにより軸線方向に移動される。これにより、パイロット弁シャフト４０も軸線方向に移動される。ここで、パイロット弁シャフト４０が、図３に示す位置から背面側（図３における右方向）に移動された場合には、その縮径部４０ａの端部がリング２８ａに接近するので、圧力開放穴２８ｃの開度が減少する。これにより圧力室２５内の圧力が上昇して、ダイヤフラム２６及び主弁体２８は主弁座２２ｂの方向（図３における右方向）に移動され、開閉バルブユニット１０から流出する湯水の流量が少なくなる。このように、ダイヤフラム２６及び主弁体２８は、パイロット弁シャフト４０の移動に追従するように移動されるので、ダイヤル８の回転により吐水流量が調節される。
【００６０】
次に、使用者が押しボタン６を再び押圧操作すると、バルブ操作部材３４、送りねじ部材４６、及び回動リング４８が押しボタン６と共に軸線方向に押し込まれる。これにより、回動リング４８の係合爪４８ａが回転誘起部材４２の回転誘起歯４２ａに当接され、回動リング４８は再び所定角度回転される。回動リング４８が所定角度回転されたことにより、係合爪４８ａは回転筒部材３２のラッチ溝３２ｃと整合しなくなるので、係合爪４８ａが回転筒部材３２に係合するようになる。これにより、バルブ操作部材３４、送りねじ部材４６、及び回動リング４８は、コイルバネ４４の付勢力に抗して、図２に示す止水位置に保持される。図２に示す状態においては、パイロット弁シャフト４０が主弁体２８の圧力開放穴２８ｃを閉鎖するので、圧力室２５内の圧力が上昇する。圧力室２５内の圧力上昇により、ダイヤフラム２６及び主弁体２８は主弁座２２ｂに着座され、止水状態となる。
【００６１】
吐水装置１を暫く使用しない場合や、吐水装置１近辺の清掃を行う場合等に、使用者はロック操作を行い、スライドツマミ５２をダイヤル８の半径方向内方のロック位置に移動させる。これにより、図２に示すように、ロック爪５４の先端５４ａと押しボタン６側面の係合溝６ｃが係合し、押しボタン６を押圧操作することができなくなる。また、ロック爪５４の先端５４ａと係合溝６ｃが係合することにより、先端５４ａが係合溝６ｃの底面のスプライン状の凹凸に嵌入するため、ダイヤル８の回動も係止される。ここで、係合溝６ｃは押しボタン６の全周に形成されているため、ダイヤル８の回転位置に関わらず、スライドツマミ５２をロック位置に移動させることができる。即ち、ダイヤル８による吐水流量の設定を維持したまま押しボタン６の並進移動を係止し、吐水操作をできなくすることができる。
【００６２】
なお、本実施形態の吐水装置１では、スライドツマミ５２がロック位置に移動されている場合においても、押しボタン６を押圧して僅かに押し込むことは可能であるが、この僅かな移動により開閉バルブユニット１０が図３に示す吐水状態に切り替えられることはない。即ち、押しボタン６が僅かに移動されても、開閉バルブユニット１０内の回動リング４８と回転誘起部材４２が接触しないため、回動リング４８は回動されず、係合爪４８ａが回転筒部材３２と係合した状態が維持され、止水状態が保持される。本明細書において、押しボタン６（開閉操作部）が係止された状態には、このような状態が含まれるものとする。
【００６３】
一方、ロックを解除し、再び吐水操作を可能とするには、スライドツマミ５２を非ロック位置に移動させる。これにより、ロック爪５４の先端５４ａと係合溝６ｃが係合しなくなり、押しボタン６を並進移動させることができるようになる。
【００６４】
また、吐水装置１が吐水状態にある場合には、ロック爪５４の先端５４ａと、押しボタン６側面の係合溝６ｃが形成されていない部分が当接するので、スライドツマミ５２のロック位置への移動は阻止される。これにより、吐水状態において押しボタン６の並進移動が偶発的に係止され、吐水停止不能になるのを防止することができる。
【００６５】
本発明の第１実施形態の吐水装置によれば、ダイヤルに設けられたロック機構により、押しボタンが、ダイヤルの回転位置に関わらず係止されるので、流量調整の設定を保持したまま、押しボタンをロックすることができる。
【００６６】
また、本実施形態の吐水装置によれば、ダイヤルに設けられたロック爪を半径方向内方に移動させ、押しボタンに形成された係合溝に係合させるだけで、押しボタンを係止することができるので、ロック機構を簡単に構成することができる。
【００６７】
さらに、本実施形態の吐水装置によれば、押しボタンが吐水位置にある場合には押しボタンが係止されないので、吐水中に誤って押しボタンがロックされ、止水できなくなるのを防止することができる。
【００６８】
また、本実施形態の吐水装置によれば、押しボタンの並進移動をロックすると、ダイヤルの回転移動もロックされるので、止水時に押しボタンがロックされている間に偶発的にダイヤルが回転され、次に吐水を開始した際に、意図しない大流量で吐水が為される等の不都合を回避することができる。
【００６９】
次に、図８乃至図１１を参照して、本発明の第２実施形態による吐水装置を説明する。本実施形態による吐水装置は、ロック機構が上述した第１実施形態とは異なる。従って、ここでは、本実施形態の第１実施形態とは異なる点のみを説明し、同様の構成については同一の符号を附して説明を省略する。
【００７０】
図８は、本発明の第２実施形態による吐水装置２００の分解斜視図である。図９は本実施形態による吐水装置の止水状態における断面図であり、図１０は吐水状態における断面図である。図１１は、図９のXI−XI線に沿う断面図を、（ａ）非ロック位置、及び（ｂ）ロック位置において示すものである。
【００７１】
図８乃至図１０に示すように、本発明の第２実施形態による吐水装置２００は、吐水装置本体２と、開閉操作部である押しボタン２０６と、吐水流量を調整する流量操作部であるダイヤル２０８と、を有する。本実施形態による吐水装置２００も、使用者が押圧操作により押しボタン２０６を並進移動させると吐水・止水が切り替えられ、回転操作によりダイヤル２０８を回転移動させると吐水流量が調整されるように構成されている。また、ダイヤル２０８は押しボタン２０６の周囲に設けられ、ダイヤル２０８の側面にはロック機構２５０が設けられている。
【００７２】
押しボタン２０６は、図９及び図１０に示すように、概ね円筒形の部品であり、吐水装置２００が止水状態にある場合には、ダイヤル２０８とほぼ面一に配置され、吐水状態にされると、ダイヤル２０８から突出するように移動される。
ダイヤル２０８は、押しボタン２０６の周囲を取り囲むように配置された概ね円筒形の部品であり、その側面には、ロック機構２５０が内蔵されている。
【００７３】
なお、本実施形態による吐水装置２００は、吐水装置本体２内に内蔵されている開閉バルブユニット１０、及びこれに使用者による操作を伝達する機構も、上述した第１実施形態と同様であるため説明を省略する。
【００７４】
図８に示すように、ロック機構２５０は、ティルト部材２５２と、このティルト部材２５２の中央を回動可能に支持するシャフト２５４と、を有する。ティルト部材２５２は、ダイヤル２０８の側面上部に配置され、開閉バルブユニット１０の軸線と平行に向けられたシャフト２５４を中心に回動可能に取り付けられている。また、ティルト部材２５２の内部には、板バネ（図示せず）が内蔵されている。この板バネ（図示せず）により、ティルト部材２５２は、シーソースイッチのように、ロック位置又は非ロック位置の何れかの位置に回動される。さらに、ティルト部材２５２の一方の突出端部２５２ａは、ダイヤル２０８の半径方向内方に大きく突出するように形成されており、この突出端部２５２ａは係合端部として機能する。
【００７５】
一方、押しボタン２０６の側面上部には、全周に亘って係合受部である係合溝２０６ｃが形成されており、この係合溝２０６ｃの底面にはスプライン状の凹凸が形成されている。この係合溝２０６ｃは、ダイヤル２０８と押しボタン２０６がほぼ面一になる図９に示す止水状態においては、ティルト部材２５２と整合し、押しボタン２０６が突出した図１０に示す吐水状態においては、ティルト部材２５２と整合しない位置に位置決めされている。
【００７６】
次に、本発明の第２実施形態による吐水装置２００の作用を説明する。
本実施形態の吐水装置２００の吐水・止水の切り替え、及び流量調整における作用は、上述した第１実施形態と同様であるので説明を省略し、ここでは、ロック機構２５０の作用を説明する。
【００７７】
まず、図１１（ａ）に示すように、ティルト部材２５２の突出端部２５２ａが、ダイヤル２０８の半径方向外方に移動された位置では、ティルト部材２５２は、押しボタン２０６の係合溝２０６ｃと係合しないため、押しボタン２０６の押圧操作による吐水・止水の切り替え、及びダイヤル２０８の回転操作による流量調整を行うことができる。
【００７８】
次に、図９に示す止水状態において、使用者がティルト部材２５２の突出端部２５２ａの側を押圧すると、ティルト部材２５２は、図１１（ｂ）に示すロック位置に移動される。このロック位置では、突出端部２５２ａはダイヤル２０８の半径方向内方に移動された位置に移動され、係合溝２０６ｃの内部に嵌入される。これにより、突出端部２５２ａと押しボタン２０６が係合し、押しボタン２０６を押圧操作することができなくなる。また、ロック位置においては、突出端部２５２ａが係合溝２０６ｃの底面のスプライン状の凹凸に嵌入するため、ダイヤル２０８の回転操作も阻止される。
【００７９】
本発明の第２実施形態の吐水装置によれば、使用者は、ティルト部材の端部を軽く押圧するだけで、簡単に押しボタンをロックすることができる。
【００８０】
また、上述した第１、第２実施形態においては、何れも、吐水・止水を切り替える押しボタンと、流量を調整するダイヤルが別体で構成されていたが、変形例として、これらを一体に構成することもできる。
【００８１】
図１２及び図１３は、第２実施形態における押しボタン及びダイヤルを一体の開閉流量操作部として構成した、第２実施形態の変形例による吐水装置を示す。図１２は本変形例による吐水装置の止水状態における断面図であり、図１３は本変形例による吐水装置の吐水状態における断面図である。
【００８２】
図１２及び図１３に示すように、本変形例による吐水装置２７０は、押しボタン及びダイヤルを一体に構成した概ね円筒形の開閉流量操作部２７２を有し、この開閉流量操作部２７２を押圧操作することにより吐水・止水が切り替えられ、回転操作することにより吐水流量を調節できるように構成されている。
【００８３】
また、開閉流量操作部２７２の内側には非回転部である内側筒部材２７４が配置されており、この内側筒部材２７４は、本体カバー１４に固定されている。従って、使用者の押圧操作及び回転操作により、開閉流量操作部２７２は、内側筒部材２７４に対して並進移動されると共に回転移動される。さらに、開閉流量操作部２７２の中央部は、開閉バルブユニット１０のバルブ操作部材３４に固定されている。これにより、開閉流量操作部２７２の並進移動及び回転移動は、直接バルブ操作部材３４に伝達され、開閉バルブユニット１０の開閉及び開度の調整ができるように構成されている。
【００８４】
一方、開閉流量操作部２７２の外周側面には、ロック機構２８０が設けられている。このロック機構２８０は、上述した第２実施形態と同様に構成された、ティルト部材２８２及びシャフト２８４を有する。また、内側筒部材２７４の外周上部には、全周に亘って係合溝２７４ａが形成されており、この係合溝２７４ａの底面には、スプライン状の凹凸が形成されている。また、係合溝２７４ａは、吐水装置２７０が止水状態にある場合にはティルト部材２８２と整合し（図１２）、吐水状態にある場合にはティルト部材２８２と整合しない（図１３）位置に位置決めされている。
【００８５】
この構成によれば、止水状態において、ティルト部材２８２を操作し、その突出端部（図１２、１３には図示せず）を開閉流量操作部２７２の半径方向内方に移動させることにより、突出端部が係合溝２７４ａの中に嵌入し、開閉流量操作部２７２の並進移動が係止される。また、この際、突出端部は係合溝２７４ａの底面のスプライン状の凹凸に入り込むため、開閉流量操作部２７２の回転移動も係止される。一方、吐水状態においては、ティルト部材２８２と係合溝２７４ａが整合していないため、開閉流量操作部２７２は係止されない。
【００８６】
本変形例の吐水装置によれば、開閉流量操作部に設けられたロック機構により、開閉流量操作部の並進移動が、その回転位置に関わらず係止されるので、流量調整の設定を保持したまま開閉流量操作部をロックすることができる。
【００８７】
次に、図１４乃至図１６を参照して、本発明の第３実施形態による吐水装置を説明する。本実施形態による吐水装置は、ロック機構が上述した第１、第２実施形態とは異なる。従って、ここでは、本実施形態の第１、第２実施形態とは異なる点のみを説明し、同様の構成については同一の符号を附して説明を省略する。
【００８８】
図１４は、本発明の第３実施形態による吐水装置３００の分解斜視図である。図１５は本実施形態による吐水装置の止水状態における断面図であり、図１６は吐水状態における断面図である。
【００８９】
図１４乃至図１６に示すように、本発明の第３実施形態による吐水装置３００は、吐水装置本体２と、開閉操作部である押しボタン３０６と、吐水流量を調整する流量操作部であるダイヤル３０８と、を有する。本実施形態による吐水装置３００も、使用者が押圧操作により押しボタン３０６を並進移動させると吐水・止水が切り替えられ、回転操作によりダイヤル３０８を回転移動させると吐水流量が調整されるように構成されている。また、ダイヤル３０８は押しボタン３０６の周囲に配置され、ダイヤル３０８には半径方向外方に延びる握り部３０８ａが設けられている。この握り部３０８ａには、ロック機構３５０が組み込まれている。
【００９０】
押しボタン３０６は、図１５及び図１６に示すように、概ね円筒形の部品であり、吐水装置３００が止水状態にある場合には、ダイヤル３０８とほぼ面一に配置され、吐水状態にされると、ダイヤル３０８から突出するように移動される。
ダイヤル３０８は、押しボタン３０６の周囲を取り囲むように配置された概ね円筒形の部品であり、その握り部３０８ａには、ロック機構３５０が内蔵されている。
【００９１】
なお、本実施形態による吐水装置３００は、吐水装置本体２内に内蔵されている開閉バルブユニット１０、及びこれに使用者による操作を伝達する機構も、上述した第１、第２実施形態と同様であるため説明を省略する。
【００９２】
図１４に示すように、ロック機構３５０は、ロックボタン３５２と、門型バネ３５４と、門型バネ保持部材３５６と、ロック用シャフト３５８と、ロックボタン付勢バネ３６０と、ハートカム部材３６２と、係止片緩衝バネ３６４と、係止片３６６と、を有する。
【００９３】
ロックボタン３５２は、概ね立方体状の部品であり、ダイヤル３０８の握り部３０８ａに、半径方向に摺動可能に取り付けられている。
門型バネ３５４は、概ね門型に折り曲げられた捩りバネであり、その中央部３５４ａが門型バネ保持部材３５６に保持されている。
【００９４】
門型バネ保持部材３５６は、概ね円筒状の部材である。門型バネ保持部材３５６は、その端面で門型バネ３５４を保持しており、門型バネ３５４の脚部３５４ｂは、門型バネ保持部材３５６の内側を、その軸線方向に延びるように向けられている。
【００９５】
ロック用シャフト３５８は、その基端が門型バネ保持部材３５６の端面に取り付けられており、門型バネ保持部材３５６の中心軸線上に延びるように向けられている。
【００９６】
ロックボタン付勢バネ３６０は、その先端が門型バネ保持部材３５６に当接されており、門型バネ保持部材３５６及びロックボタン３５２を半径方向外方に付勢している。
【００９７】
ハートカム部材３６２は、概ね正方形断面の筒状部３６２ａと、この筒状部３６２ａの端面に形成された概ね正方形のフランジ部３６２ｂと、を有する。さらに、筒状部３６２ａの両側面にはハートカム溝３６２ｃが形成されている。また、フランジ部３６２ｂは、握り部３０８ａの基端部に取り付けられると共に、ロックボタン付勢バネ３６０の基端に当接されている。このため、門型バネ保持部材３５６は、ロックボタン付勢バネ３６０により、ハートカム部材３６２に対して半径方向外方に付勢されている。
【００９８】
また、ハートカム部材３６２の筒状部３６２ａは、門型バネ保持部材３５６の内側に摺動可能に受け入れられている。さらに、門型バネ保持部材３５６の内部に延びている門型バネ３５４の２本の脚部３５４ｂの先端は、夫々、筒状部３６２ａの両側面に形成されたハートカム溝３６２ｃの中に受け入れられている。
【００９９】
係止片緩衝バネ３６４は、その基端部が、ハートカム部材３６２の筒状部３６２ａの中心に延びているロック用シャフト３５８の先端に取り付けられている。また、係止片緩衝バネ３６４は、係止片３６６の内部に受け入れられ、その先端が係止片３６６に取り付けられている。従って、係止片３６６は、係止片緩衝バネ３６４を介してロック用シャフト３５８の先端に取り付けられている。
【０１００】
係止片３６６は、概ね四角柱状の部材であり、その係合端部である先端３６６ａは、尖鋭に形成されている。また、係止片３６６は、ハートカム部材３６２の筒状部３６２ａに摺動可能に受け入れられており、ダイヤル３０８の半径方向内方に移動されたロック位置（図１５）と、半径方向外方に移動された非ロック位置（図１６）の間で摺動されるようになっている。
【０１０１】
一方、押しボタン３０６の側面上部には、全周に亘って係合受部である係合溝３０６ｃが形成されており、この係合溝３０６ｃの底面にはスプライン状の凹凸が形成されている。この係合溝３０６ｃは、ダイヤル３０８と押しボタン３０６がほぼ面一になる図１５に示す止水状態においては、係止片３６６と整合し、押しボタン３０６が突出した図１６に示す吐水状態においては、係止片３６６と整合しない位置に位置決めされている。
【０１０２】
次に、本発明の第３実施形態による吐水装置３００の作用を説明する。
本実施形態の吐水装置３００の吐水・止水の切り替え、及び流量調整における作用は、上述した第１実施形態と同様であるので説明を省略し、ここでは、ロック機構３５０の作用を説明する。
【０１０３】
まず、図１６に示す係止片３６６が非ロック位置にある場合には、門型バネ３５４の各脚部３５４ｂの先端は、ハートカム溝３６２ｃの点Ｐ１付近に位置する。この状態においては、ロックボタン３５２及び門型バネ保持部材３５６は、ロックボタン付勢バネ３６０の付勢力により、半径方向外方に移動されている。これにより、ロック用シャフト３５８及び係止片緩衝バネ３６４を介して門型バネ保持部材３５６に取り付けられた係止片３６６も、半径方向外方の非ロック位置に移動されている。
【０１０４】
次に、止水状態において、使用者のロック操作によりロックボタン３５２が、半径方向内方に押圧されると、ロックボタン付勢バネ３６０の付勢力に抗して、門型バネ保持部材３５６が半径方向内方に移動される。これにより、門型バネ保持部材３５６に取り付けられた門型バネ３５４も半径方向内方に移動され、これに伴って門型バネ３５４の脚部３５４ｂの先端は、ハートカム溝３６２ｃの中を半径方向内方に移動される。
【０１０５】
使用者のロック操作が終了し、ロックボタン３５２に押圧力が働かなくなると、ロックボタン３５２及び門型バネ保持部材３５６は、ロックボタン付勢バネ３６０の付勢力により、半径方向外方に移動を開始する。この際、ハートカム溝３６２ｃの中に配置されている門型バネ３５４の脚部３５４ｂの先端は、ハートカム溝３６２ｃの点Ｐ２に移動され、脚部３５４ｂの先端は、この位置に保持される。これにより、ロックボタン３５２及び門型バネ保持部材３５６は、ロックボタン付勢バネ３６０の付勢力に抗して、図１５に示すロック位置に保持される。
【０１０６】
また、ロックボタン３５２のロック位置への移動に伴って、ロック用シャフト３５８の先端に取り付けられた係止片３６６も、半径方向内方のロック位置に移動され、その先端３６６ａが押しボタン３０６の係合溝３０６ｃに嵌入される。これにより、係止片３６６の先端３６６ａと押しボタン３０６が係合し、押しボタン３０６を押圧操作することができなくなる。また、ロック位置においては、係止片３６６の先端３６６ａが係合溝３０６ｃの底面のスプライン状の凹凸に嵌入するため、ダイヤル３０８の回転操作も阻止される。
【０１０７】
さらに、使用者がロックボタン３５２を再び押圧すると、ロックボタン３５２は、図１５に示す位置から僅かに半径方向内方に移動される。この移動により、ハートカム溝３６２ｃの点Ｐ２に保持されていた脚部３５４ｂの先端は、その位置から外れ、ハートカム溝３６２ｃとの係合が解除される。次いで、使用者のロックボタン３５２への押圧力が作用しなくなると、ロックボタン３５２及び門型バネ保持部材３５６は、ロックボタン付勢バネ３６０の付勢力により半径方向外方に移動され、図１６に示す非ロック位置に移動される。
【０１０８】
本発明の第３実施形態の吐水装置によれば、ハートカム機構を使用して係止片を移動させているので、押しボタンを確実にロックすることができる。
【０１０９】
以上、本発明の好ましい実施形多胎を説明したが、上述した実施形態に種々の変更を加えることができる。特に、上述した実施形態においては、押しボタンの全周に係合溝が形成されていたが、係合溝は全周に形成されていなくても良い。即ち、係合溝は、ダイヤルの回動可能範囲全体に亘ってロックが可能になるように、ダイヤルの回動範囲に応じて押しボタンの外周の一部のみに設けても良い。
【０１１０】
また、上述した実施形態においては、係合溝の底面にスプラインが形成されていたが、係合溝の底面は平滑であっても良く、この場合には、ロック時におけるダイヤルの回転が許容される。
【図面の簡単な説明】
【０１１１】
【図１】本発明の第１実施形態による吐水装置の斜視図である。
【図２】本発明の第１実施形態による吐水装置の止水状態における断面図である。
【図３】本発明の第１実施形態による吐水装置の吐水状態における断面図である。
【図４】図３のIV−IV線に沿う断面図である。
【図５】本発明の第１実施形態による吐水装置の分解斜視図である。
【図６】吐水装置に内蔵されている開閉バルブユニットの断面図である。
【図７】吐水装置に内蔵されている開閉バルブユニットの分解斜視図である。
【図８】本発明の第２実施形態による吐水装置の分解斜視図である。
【図９】本発明の第２実施形態による吐水装置の止水状態における断面図である。
【図１０】本発明の第２実施形態による吐水装置の吐水状態における断面図である。
【図１１】図９のXI−XI線に沿う断面図を、（ａ）非ロック位置、及び（ｂ）ロック位置において示すものである。
【図１２】本発明の第２実施形態の変形例による吐水装置の止水状態における断面図である。
【図１３】本発明の第２実施形態の変形例による吐水装置の吐水状態における断面図である。
【図１４】本発明の第３実施形態による吐水装置の分解斜視図である。
【図１５】本発明の第３実施形態による吐水装置の止水状態における断面図である。
【図１６】本発明の第３実施形態による吐水装置の吐水状態における断面図である。
【符号の説明】
【０１１２】
１        本発明の第１実施形態による吐水装置
２        吐水装置本体
２ａ      本体流入口
２ｂ      本体流出口
４        カウンター板
６        押しボタン（開閉操作部）
６ａ      内壁面
６ｂ      位置決用突出部
６ｃ      係合溝（係合受部）
８        ダイヤル（流量操作部）
８ａ      握り部
８ｂ      ダイヤル突起
８ｃ      ダイヤル係合爪
８ｄ      スライド凹部
８ｅ      開口部
８ｆ      クリック凹部
１０      開閉バルブユニット
１２      バルブ押さえ
１４      本体カバー
１４ａ    円弧状壁
１４ｂ    位置決用凹部
１６      回転伝達部材
１６ａ    回転伝達部材切欠部
１６ｂ    回転伝達部材突起
１８      押さえリング
２０      回動カラー
２０ａ    回動カラー切欠部
２０ｂ    回動カラー突起
２２      バルブ本体
２２ａ    バルブ流入口
２２ｂ    主弁座
２２ｃ    バルブ流出口
２４      圧力室形成部材
２４ａ    Ｏリング
２４ｂ    Ｏリング押さえ
２４ｃ    Ｏリング
２５      圧力室
２６      ダイヤフラム
２８      主弁体
２８ａ    Ｏリング
２８ｂ    Ｏリング押さえ
２８ｃ    圧力開放穴
２８ｄ    小穴
３０      ガイド部材
３０ａ    ガイド部
３０ｂ    円盤部
３２      回転筒部材
３２ａ    案内溝
３２ｂ    フランジ部
３２ｃ    ラッチ溝
３２ｄ    係合突起
３４      バルブ操作部材
３４ａ    案内突起
３６      バルブカバー
３８      摺動部材
３８ａ    送りねじ部
４０      パイロット弁シャフト
４０ａ    縮径部
４２      回転誘起部材
４２ａ    回転誘起歯
４４      コイルバネ
４６      送りねじ部材
４６ａ    送り雌ねじ部
４６ｂ    フランジ部
４６ｃ    突起部
４８      回動リング
４８ａ    係合爪
５０      ロック機構
５２      スライドツマミ
５２ａ    把持部
５２ｂ    台座部
５４      ロック爪
５４ａ    先端（係合端部）
５４ｂ    湾曲部
５６      ビス
２００    本発明の第２実施形態による吐水装置
２０６    押しボタン（開閉操作部）
２０６ｃ  係合溝（係合受部）
２０８    ダイヤル（流量操作部）
２５２    ティルト部材
２５２ａ  突出端部（係合端部）
２５４    シャフト
２７０    本発明の第２実施形態の変形例による吐水装置
２７２    開閉流量操作部
２７４    内側筒部材
２７４ａ  係合溝（係合受部）
２８０    ロック機構
２８２    ティルト部材
２８４    シャフト
３００    本発明の第３実施形態による吐水装置
３０６    押しボタン（開閉操作部）
３０６ｃ  係合溝（係合受部）
３０８    ダイヤル（流量操作部）
３０８ａ  握り部
３５０    ロック機構
３５２    ロックボタン
３５４    門型バネ
３５４ａ  中央部
３５４ｂ  脚部
３５６    門型バネ保持部材
３５８    ロック用シャフト
３６０    ロックボタン付勢バネ
３６２    ハートカム部材
３６２ａ  筒状部
３６２ｂ  フランジ部
３６２ｃ  ハートカム溝
３６４    係止片緩衝バネ
３６６    係止片
３６６ａ  先端（係合端部）
【図１】
2008232188.tif 000003
【図２】
2008232188.tif 000004
【図３】
2008232188.tif 000005
【図４】
2008232188.tif 000006
【図５】
2008232188.tif 000007
【図６】
2008232188.tif 000008
【図７】
2008232188.tif 000009
【図８】
2008232188.tif 000010
【図９】
2008232188.tif 000011
【図１０】
2008232188.tif 000012
【図１１】
2008232188.tif 000013
【図１２】
2008232188.tif 000014
【図１３】
2008232188.tif 000015
【図１４】
2008232188.tif 000016
【図１５】
2008232188.tif 000017
【図１６】
2008232188.tif 000018